(57)【特許請求の範囲】
【請求項１】
ピアノ弦を支持する第１の主面および響板を支持する反対側の第２の主面を有する主板と、
該主板の前記第１の主面上にあり、低音弦の一端部を係止する第１の細長い係止ゾーンと、
前記主板の前記第１の主面上にあり、前記第１の係止ゾーンから離隔された前記低音弦の他方の端部を係止する第２の細長い係止ゾーンと、
前記主板の前記第１の主面上にあり、高音弦の一端部を係止する第３の細長い係止ゾーンと、
前記主板の前記第１の主面上にあり、前記第３の係止ゾーンから離隔された前記高音弦の他方の端部を係止する第４の細長い係止ゾーンと、
前記第３の係止ゾーンと前記第４の係止ゾーンとの間にある前記主板の少なくとも１つの開口と、
前記主板に固定接続され、前記第３の係止ゾーンと前記第４の係止ゾーンとの間に延びる１つまたは複数の筋交部材と、を備え、
該１つまたは複数の筋交部材は、前記高音弦を前記第３の係止ゾーンと前記第４の係止ゾーンとの間に一様に分散配置して係止できるように、前記第３の係止ゾーン及び第４の係止ゾーンの間で画定される平面と、前記主板の前記第２の主面によって画定される平面との間に全体的に配置されるピアノフレーム。
【請求項２】
前記１つまたは複数の筋交部材が、トラスを画定する請求項１に記載のピアノフレーム。
【請求項３】
前記１つまたは複数の筋交部材が、前記主板に一体に形成されることによって、前記主板に固定接続される請求項１または２に記載のピアノフレーム。
【請求項４】
前記響板に接続された低音弦駒を受ける開口を前記主板に備えた請求項１から３のいずれか一項に記載のピアノフレーム。
【請求項５】
前記響板に接続された高音弦駒を受ける開口を前記基板に備えた請求項１から４のいずれか一項に記載のピアノフレーム。
【請求項６】
前記主板を横断し、前記第１の係止ゾーンと前記第２の係止ゾーンとを結ぶ線を概ね横切って延びる第１の支柱を備え、
該第１の支柱が、前記第４の係止ゾーンを画定し、
前記第１の支柱が、前記第１の係止ゾーンと前記第２の係止ゾーンとの間に延在する平面を通って延びていない請求項１から５のいずれか一項に記載のピアノフレーム。
【請求項７】
前記第１の係止ゾーンと前記第２の係止ゾーンとの間に延びる第２の支柱を備え、
該第２の支柱が、前記第３の係止ゾーンと前記第４の係止ゾーンとの間で画定される領域を通って延び、
前記第２の支柱が、前記高音弦と接触しないように、切欠部を含むか、または、前記第３の係止ゾーンと前記第４の係止ゾーンとの間に延在する平面に対して持ち上がっている請求項１から６のいずれか一項に記載のピアノフレーム。
【請求項８】
前記第１の係止ゾーンと前記第４の係止ゾーンとの間に延びる第３の支柱を備えた請求項１から７のいずれか一項に記載のピアノフレーム。
【請求項９】
前記第３の支柱が、前記第３の係止ゾーンと前記第４の係止ゾーンとの間で画定される領域の縁部に沿って延びる請求項８に記載のピアノフレーム。
【請求項１０】
前記第４の係止ゾーンと前記第２の係止ゾーンとの間に延びる第４の支柱を備え、
該第４の支柱が、前記第１の係止ゾーンと前記第２の係止ゾーンとの間で画定される領域の縁部に沿って延びる請求項１から９のいずれか一項に記載のピアノフレーム。
【請求項１１】
前記第１の係止ゾーンと前記第２の係止ゾーンとの間で画定される第１の領域と、前記第３の係止ゾーンと前記第４の係止ゾーンとの間で画定される第２の領域とが、少なくとも部分的に前記響板の上を延びる請求項１から１０のいずれか一項に記載のピアノフレーム。
【請求項１２】
前記主板の前記響板の周縁部に重なる領域が、前記主板に固定接続された響板支持フランジによって強化される請求項１から１１のいずれか一項に記載のピアノフレーム。
【請求項１３】
前記響板支持フランジが、連続している請求項１２に記載のピアノフレーム。
【請求項１４】
請求項１２または１３に記載のピアノフレームと、
前記主板の前記第２の主面に接続された前記響板とを備え、
前記響板の前記周縁部が湾曲し、前記響板支持フランジが相補的に湾曲する請求項１２または１３に記載のシステム。
【発明の詳細な説明】
【技術分野】
【０００１】
本開示は、一般に、ピアノ構成の改善に関し、より詳細には、ピアノフレームの改善およびピアノ響板の支持の改善に関する。本改善は、主にアップライトピアノに適用するために開発されてきたものである。しかし、本改善はまた、例えば、グランドピアノにも応用することができることを理解されたい。
【背景技術】
【０００２】
いくつかの異なるピアノフレーム設計が知られている。例えば、ブロードウッド社のアップライトピアノフレームは、周辺フレーム部材を含み、周辺フレーム部材の対向した側部間に、中間フレーム部材が対角線上に延びている。低音弦が、周辺フレーム部材の上側部分と下側部分との間に延び、高音弦が、中間部材と周辺フレーム部材の上側部分との間に延びる。一般に木材で作成された低音弦駒が、周辺フレーム部材の下側部分に概ね平行に延び、ピアノ響板に接続される。低音弦は、駒の上を通過し、駒ピンを介してその駒に接続される。同様に、やはり一般に木材で作成された高音弦駒が、中間フレーム部材に概ね平行に、中間フレーム部材と周辺フレーム部材の上側部分との間に延び、やはりピアノ響板に接続される。高音弦は、高音弦駒の上を通過し、駒ピンを介してその駒に接続される。周辺フレーム部材の上側部分と、中間部材との間には筋交（ｂｒａｃｉｎｇ）がなく、したがって、このピアノフレームは、調律中、およびピッチ変更時に歪みが生じやすく、また、長期的に見ると不具合が生じやすい。
【発明の概要】
【発明が解決しようとする課題】
【０００３】
既知のアップライトピアノの多くは、中間フレーム部材と周辺フレーム部材の上側部分との間に中間支柱を用いて、ピアノ弦の荷重によるピアノフレームの歪みに対する抵抗力を増大させている。これらの中間支柱は、高音弦に平行に延び、高音弦がその上に延在することができないような高さである。したがって、高音弦は、中間支柱間にしか設けることができず、そのためピアノの音色に悪影響が及ぼされる。さらに、高音弦駒に、中間支柱がその上を越えて通過することができるように深い切欠部を設けなければならない。この切欠部もやはり、ピアノの音色に悪影響を及ぼす。
【課題を解決するための手段】
【０００４】
本明細書に含まれている文献、行為、材料、装置、物品などに関するいかなる考察も、専ら本発明の例を示すことを目的とするに過ぎない。これらの事柄のいずれか、もしくは全てが、従来技術ベースの一部を成すとして、または本願の各請求項の優先日以前に存在していた本発明に関連する分野の一般的知識であったとして認めるものと解釈すべきではない。
【０００５】
本明細書全体にわたって、用語「ｃｏｍｐｒｉｓｅ（備える、含む）」、または「ｃｏｍｐｒｉｓｅｓ（備える、含む）」もしくは「ｃｏｍｐｒｉｓｉｎｇ（備える、含む）」などの変化形は、記載の要素、インテジャ（ｉｎｔｅｇｅｒ）もしくはステップ、または要素、インテジャもしくはステップの群を包含するが、他のいかなる要素、インテジャもしくはステップ、または要素、インテジャもしくはステップの群を排除するものではないことを意味するものとして理解されたい。
【０００６】
第１の態様では、
ピアノ弦を支持する第１の主面および響板を支持する反対側の第２の主面を有する主板と、
該主板の前記第１の主面上にあり、低音弦の一端部を係止する第１の細長い係止ゾーンと、
前記主板の前記第１の主面上にあり、前記第１の係止ゾーンから離隔された、前記低音弦の他方の端部を係止する第２の細長い係止ゾーンと、
前記主板の前記第１の主面上にあり、高音弦の一端部を係止する第３の細長い係止ゾーンと、
前記主板の前記第１の主面上にあり、前記第３の係止ゾーンから離隔された、前記高音弦の他方の端部を係止する第４の細長い係止ゾーンと、
前記主板の、前記第３の係止ゾーンと前記第４の係止ゾーンとの間にある少なくとも１つの開口と、
前記主板に固定接続され、前記第３の係止ゾーンと前記第４の係止ゾーンとの間に延びる１つまたは複数の筋交部材であって、前記第３の係止ゾーンと第４の係止ゾーンとの間で画定される平面と、前記主板の前記第２の主面によって画定される平面との間に全体が配置される１つまたは複数の筋交部材と
を備えるピアノフレームが提供される。
【０００７】
前記１つまたは複数の筋交部材は、好ましくは、トラスを画定する。前記１つまたは複数の筋交部材は、好ましくは、主フレームに一体に形成することによって、該主フレームに固定接続される。
【０００８】
前記響板に接続された低音弦駒を受ける開口が、好ましくは、前記主板に設けられる。前記響板に接続された高音弦駒を受ける開口が、好ましくは、前記主板に設けられる。
【０００９】
前記第３の係止ゾーンは、好ましくは、前記主板の前記第１の主面に隣接する。前記第４の係止ゾーンは、好ましくは、前記主板の前記第１の主面から離隔される。前記第１の係止ゾーンは、好ましくは、前記第４の係止ゾーンが前記主板の前記第１の主面から離隔されたものより、前記主板の前記第１の主面からさらに離隔される。前記第２の係止ゾーンは、好ましくは、前記第２の係止ゾーンが前記主板の前記第１の主面から離隔されたものより、前記主板の前記第１の主面からさらに離隔される。
【００１０】
第１の支柱が、好ましくは、前記主板を横断し、前記第１の係止ゾーンと前記第２の係止ゾーンとを結ぶ線を概ね横切って延びる。前記第１の支柱は、好ましくは、前記第４の係止ゾーンを画定する。前記第１の支柱は、好ましくは、前記第１の係止ゾーンと前記第２の係止ゾーンとの間に延在する平面を通って延びていない。第２の支柱が、好ましくは、前記第１の係止ゾーンと前記第２の係止ゾーンとの間に延びる。前記第２の支柱は、好ましくは、前記第３の係止ゾーンと前記第４の係止ゾーンとの間で画定される領域を通って延びる。前記第２の支柱は、好ましくは、前記高音弦と接触しないように、切欠部を含むか、または前記第３の係止ゾーンと前記第４の係止ゾーンとの間に延在する平面に対して持ち上がっている。第３の支柱が、好ましくは、前記第１の係止ゾーンと前記第４の係止ゾーンとの間に、好ましくは、前記第３の係止ゾーンと前記第４の係止ゾーンとの間で画定される領域の縁部に沿って延びる。第４の支柱が、好ましくは、前記第４の係止ゾーンと前記第２の係止ゾーンとの間に、好ましくは、前記第１の係止ゾーンと前記第２の係止ゾーンとの間で画定される領域の縁部に沿って延びる。
【００１１】
第２のフレームが、好ましくは、前記主板の前記第１の主面に少なくとも部分的に重なり、かつ好ましくは、前記主板の一部として形成することによって、または溶接もしくはその他の形で主板に固締することによって、前記主板の前記第１の主面に固定接続される。前記第２の係止ゾーンは、好ましくは、前記第２のフレーム上にある。前記第３の係止ゾーンは、好ましくは、前記第２のフレーム上にある。前記第４の係止ゾーンは、好ましくは、前記第２のフレーム上にある。前記第２の支柱は、好ましくは、前記第２のフレームに形成される。
【００１２】
前記第１の係止ゾーンと前記第２の係止ゾーンとの間で画定される第１の領域と、前記第３の係止ゾーンと前記第４の係止ゾーンとの間で画定される第２の領域とは、好ましくは、少なくとも部分的に前記響板の上を延びる。
【００１３】
前記主板の、前記響板の周縁部に重なる領域が、好ましくは、前記主板に固定接続された響板支持フランジによって強化される。該響板支持フランジは、好ましくは、連続している。該響板支持フランジは、好ましくは、前記第２のフレームから延びる。前記響板の周縁部は、好ましくは、湾曲し、前記響板支持フランジも相補的に湾曲している。
【００１４】
第２の態様では、
ピアノ弦を支持する第１の主面および響板を支持する反対側の第２の主面を有する主板と、
該主板の前記第１の主面上にあり、低音弦の一端部を係止する第１の細長い係止ゾーンと、
前記主板の前記第１の主面上にあり、前記第１の係止ゾーンから離隔された、前記低音弦の他方の端部を係止する第２の細長い係止ゾーンと、
前記主板の前記第１の主面上にあり、高音弦の一端部を係止する第３の細長い係止ゾーンと、
前記主板の前記第１の主面上にあり、前記第３の係止ゾーンから離隔された、前記高音弦の他方の端部を係止する第４の細長い係止ゾーンと、
前記主板に固定接続され、前記響板の湾曲した周縁部に相補的に成形された、前記主板の、前記響板の前記湾曲した周縁部に重なる領域を強化するための湾曲フランジと
を備える、ピアノフレームが提供される。
【００１５】
少なくとも１つの開口が、好ましくは、前記主板の、前記第３の係止ゾーンと前記第４の係止ゾーンとの間に設けられ、１つまたは複数の筋交部材が、好ましくは、前記主板に固定接続され、前記第３の係止ゾーンと前記第４の係止ゾーンとの間に延び、これらの１つまたは複数の前記筋交部材は、前記第３の係止ゾーンと前記第４の係止ゾーンとの間で画定される平面と、前記主板の前記第２の主面によって画定される平面との間に全体が配置される。１つまたは複数の前記筋交部材は、好ましくは、トラスを画定する。
【００１６】
前記響板に接続された低音弦駒を受ける開口が、好ましくは、前記主板に設けられる。前記響板に接続された高音弦駒を受ける開口が、好ましくは、前記主板に設けられる。
【００１７】
前記第３の係止ゾーンは、好ましくは、前記主板の前記第１の主面に隣接する。前記第４の係止ゾーンは、好ましくは、前記主板の前記第１の主面から離隔される。前記第１の係止ゾーンは、好ましくは、前記第４の係止ゾーンが前記主板の前記第１の主面から離隔されるのとほぼ同じ距離だけ、前記主板の前記第１の主面から離隔される。前記第２の係止ゾーンは、好ましくは、前記第１の係止ゾーンが前記主板の前記第１の主面から離隔されたものより、前記主板の前記第１の主面からさらに離隔される。
【００１８】
第１の支柱が、好ましくは、前記主板を横断し、前記第１の係止ゾーンと前記第２の係止ゾーンとを結ぶ線を概ね横切って延びる。前記第１の支柱は、好ましくは、前記第４の係止ゾーンを画定する。前記第１の支柱は、好ましくは、前記第１の係止ゾーンと前記第２の係止ゾーンとの間に延在する平面を通って延びていない。第２の支柱が、好ましくは、前記第１の係止ゾーンと前記第２の係止ゾーンとの間に延びる。前記第２の支柱は、好ましくは、前記第３の係止ゾーンと前記第４の係止ゾーンとの間で画定される領域を通って延びる。前記第２の支柱は、好ましくは、前記高音弦と接触しないように、切欠部を含むか、または前記第３の係止ゾーンと前記第４の係止ゾーンとの間に延在する平面に対して持ち上がっている。第３の支柱が、好ましくは、前記第１の係止ゾーンと前記第４の係止ゾーンとの間に、好ましくは、前記第３の係止ゾーンと前記第４の係止ゾーンとの間で画定される領域の縁部に沿って延びる。第４の支柱が、好ましくは、前記第４の係止ゾーンと前記第２の係止ゾーンとの間に、好ましくは、前記第１の係止ゾーンと前記第２の係止ゾーンとの間で画定される領域の縁部に沿って延びる。
【００１９】
第２のフレームが、好ましくは、前記主板の前記第１の主面に少なくとも部分的に重なり、かつ好ましくは、前記主板の一部として形成することによって、または溶接もしくはその他の形で前記主板に固締することによって、前記主板の前記第１の主面に固定接続される。前記第２の係止ゾーンは、好ましくは、前記第２のフレーム上にある。前記第３の係止ゾーンは、好ましくは、前記第２のフレーム上にある。前記第４の係止ゾーンは、好ましくは、前記第２のフレーム上にある。前記第２の支柱は、好ましくは、前記第２のフレームに形成される。
【００２０】
前記第１の係止ゾーンと前記第２の係止ゾーンとの間で画定される第１の領域と、前記第３の係止ゾーンと前記第４の係止ゾーンとの間で画定される第２の領域とは、好ましくは、少なくとも部分的に前記響板の上を延びる。  
【００２１】
前記響板支持フランジは、好ましくは、前記第２のフレームから延びる。
【００２２】
次に、添付の図面を参照しながら、本開示のピアノフレームの好ましい実施形態を、単なる例によって説明する。
【図面の簡単な説明】
【００２３】
【図１】分かりやすいようにピアノ弦なしで示した本開示によるピアノフレームの好ましい実施形態の斜視図である。
【図２】分かりやすいようにピアノ弦なしで示した響板が取り付けられた図１のピアノフレームの正面立面図である。
【図３】ピアノ弦ありで示した図１のピアノフレームの正面立面図である。
【図４】分かりやすいようにピアノ弦なしで示し、かつ、ピアノキャビネット内部の他の構成要素も示した図１のピアノフレームの背面立面図である。
【発明を実施するための形態】
【００２４】
図面を参照すると、ピアノフレーム１０が示されている。ピアノフレーム１０は、ピアノ弦を支持する第１の主面１４および響板１８を支持する反対側の第２の主面１６を有する主板１２を備えている。低音弦の第１の端部（上側の調律可能な端部）および第２の端部（下側の巻き掛けられた端部）と、高音弦の第１の端部（上側の調律可能な端部）および第２の端部（下側の巻き掛けられた端部）とをそれぞれ係止する、第１の細長い係止ゾーン２０、第２の細長い係止ゾーン２２、第３の細長い係止ゾーン２４および第４の細長い係止ゾーン２６が、第１の主面１４上に配置されている。図１および２で最もよく分かるように、複数の開口２８が、主板１２の、第３の係止ゾーン２４と第４の係止ゾーン２６との間に設けられる。主板に一体に形成された複数の筋交部材３０によって画定されたトラスが、第３の係止ゾーン２４と第４の係止ゾーン２６との間に延びている。筋交部材３０は、第３の係止ゾーン２４と第４の係止ゾーン２６との間に延在する平面と、主板１２の第２の主面１６によって画定される平面との間に全体が（すなわち、高音弦と響板１８との間に全体が）配置される。
【００２５】
図１から３に示すように、第２のフレーム３２が、主板１２の第１の主面１４に部分的に重なって、第１の主面１４に固定接続されている。第２のフレーム３２は、好ましくは、主板１２の一部として一体に鋳造される。しかし、他の実施形態では、第２のフレーム３２は、溶接または他の固締手段によって主板１２に接続される。第２のフレーム３２は、主板１２を横断し、第１の係止ゾーン２０と第２の係止ゾーン２２とを結ぶ線を概ね横切って延びる第１の支柱３４を含む。高音弦の下側端部を係止する第４の係止ゾーン２６は、第１の支柱３４によって画定される。第２の支柱３６が、第１の係止ゾーン２０と第２の係止ゾーン２２との間に、第３の係止ゾーン２４と第４の係止ゾーン２６との間で画定される領域を通って延びる。しかし、図１で最もよく分かるように、第２の支柱３６は、高音弦と接触しないように、切欠部３８を含み、または代替実施形態では、第２の支柱３６は、第３の係止ゾーン２４と第４の係止ゾーン２６との間に延在する平面に対して持ち上がっている。第３の支柱４０が、概ね第１の係止ゾーン２０と第４の係止ゾーン２６との間に、第３の係止ゾーン２４と第４の係止ゾーン２６との間で画定される領域の縁部に沿って延びている。第３の支柱は、第３の係止ゾーン２４と第４の係止ゾーン２６との間で画定される領域の縁部のある点で、第２の支柱３６と交差する。第４の支柱４２が、第４の係止ゾーン２６と第２の係止ゾーン２２との間に、第１の係止ゾーン２０と第２の係止ゾーン２２との間で画定される領域の縁部に沿って延びている。
【００２６】
高音弦の上側端部を係止する第３の係止ゾーン２４は、主板１２の第１の主面１４上に配置される。高音弦の下側端部を係止する第４の係止ゾーン２６は、第２のフレーム３２の第１の支柱３４上に配置されているので、主板１２の第１の主面１４の上方に離隔されることになる。低音弦の上側端部を係止する第１の係止ゾーン２０は、主板１２の第１の主面１４から第４の係止ゾーン２６までの間隔とほぼ同じ距離だけ、主板１２の第１の主面１４から離隔される。低音弦の下側端部を係止する第２の係止ゾーン２２は、第２のフレーム３２の持ち上がった部分上に配置され、それによって主板１２の第１の主面１４から、第１の係止ゾーン２０が主板１２の第１の主面１４から離隔されたものよりさらに離隔される。
【００２７】
図１および２で最もよく分かるように、響板１８に接続された低音弦駒４８、および高音弦駒５０をそれぞれ受ける第１の開口４４、および第２の開口４６が、主板１２に設けられる。開口４４および４６は、それぞれの駒４８および５０に対して大き目に寸法設定されており、したがって駒が主板１２または第２のフレーム３２に接触にすることはない。第１、第２、第３、および第４の係止ゾーンの、主板からの相対的な間隔のため、また、駒４８および５０の相対的な高さのため、第１の支柱３４は、第１の係止ゾーン２０と第２の係止ゾーン２２との間に延在する平面を通って延びていない。
【００２８】
響板１８は、スプルースなどの適切な響板材料から形成され、両側が湾曲し、端部が先細りした概ね涙滴形に成形される。先細りした端部は、高音弦のより高い音域側の下に配置される。響板１８のより広い中央部分は、高音弦のより低い音域側の下、かつ低音弦の下に配置される。図２で最もよく分かるように、主板１２の、響板１８の周縁部上方の領域が、第２のフレーム３２の響板支持フランジ５２によって強化されている。響板支持フランジ５２は、響板１８の周縁部に相補的に成形される。図４で最もよく分かるように、響板１８の背面周縁部は、積層木材製の周辺フランジ５４によって連続して支持され、この周辺フランジ５４は、ピアノ・キャビネット５８の背面支柱５６に取り付けられる。合板充填パネル（図示せず）が、周辺フランジ５４から外方に延びて、ピアノ・キャビネット５８の背面を閉止する。
【００２９】
例示のピアノフレーム１０の第３の係止ゾーン２４と第４の係止ゾーン２６との間の筋交部材３０によって画定されるトラスによって、調律の安定性が向上し、一方、このトラスは高音弦の平面と響板１８との間に配置されるため、高音弦を一様に分散配置して、音質を依然として維持することが可能となることを理解されたい。例示のトラス配置によってまた、既に比較的重量のある楽器に、かなり多くの質量がさらに加わるという望ましくない作用が低減される。
【００３０】
響板１８によって、その中央領域の歪みを介して音圧レベルが動的に生成され、この中央領域は、駒４８、５０に近接していることが当業者には理解されよう。響板１８の周辺部は、理想的には、響板１８が最も動的である間もなお、反響しやすいようにかなり堅固に保持しなければならない。したがって、響板周辺部が、主板１２と積層木材周辺フランジ５４との間に挟まれ、かつ主板の、響板周辺部上方の領域が、湾曲した響板支持フランジ５２によって強化されることによって、音質が向上することを理解されたい。響板支持フランジ５２、および上述の他の様々な支柱によって主板１２にさらなる剛性がもたらされることもまた、調律の安定性および長期性、ならびに楽器の使用期間にわたる音質の助けとなることを理解されたい。
【００３１】
広義に記載された本発明の範囲から逸脱せずに、上述の特定の実施形態に多くの変更および／または改変を行うことができることが当業者には理解されよう。したがって、本実施形態は、あらゆる点において例示的であり、限定的ではないとして考慮されたい。実施可能な変形形態および／または改変形態の例には、それだけに限られるものではないが、筋交部材３０によって画定されるトラスを、円形または代替形状の切欠部の有無にかかわらず、連続した中実ウェブと置き換えて、第３の係止ゾーンと第４の係止ゾーンとの間を支持し、それによって構造の外観が変わる場合も含まれる。しかし、この場合も、代替ウェブは、第３の係止ゾーン２４と第４の係止ゾーン２６との間に延在する平面と、主板１２の第２の主面１６によって画定される平面との間に全体が配置される。
【図１】
0005636055.tif 000002
【図２】
0005636055.tif 000003
【図３】
0005636055.tif 000004
【図４】
0005636055.tif 000005